(57)【要約】【課題】分かり易く自然な文を作成する。【解決手段】レポート作成端末１３のストレージデバイス３２には、辞書テーブル５７が格納されている。辞書テーブル５７には、所見文を構成する節（所見要素）毎に、語句が登録されている。所見要素、語句の並び（登録）順は、所見文の位置に対応している。語句の種類には、用語選択ボタン５１の選択状態に応じて可変する可変語句がある。可変語句には、「途中」、「末尾」の使用位置、「肯定」、「否定」の使用形式の属性が定義されている。編集処理部４２は、用語選択ボタン５１が選択されたアクティブな所見要素の使用位置、使用形式を判定し、その結果を元に、所見文に使用する可変語句を決定する。編集処理部４２は、用語選択ボタン５１の選択状態に応じて、辞書テーブル５７から各種語句を読み出し、読み出した語句を並び順に従って連結することで、所見文を作成する。【選択図】図３
2009271620.tif 000002
【特許請求の範囲】
【請求項１】
文を分解した節をさらに細分化した複数の語句が登録されており、各語句に対して、その属性と節内の並び順が階層構造で表された辞書と、
前記辞書に登録された語句の一部を入力語句として選択入力させる操作入力制御手段と、
前記操作入力制御手段による入力語句の選択状態に応じた語句を前記辞書から読み出し、読み出した語句を並び順に従って連結して文を作成する作成手段とを備えることを特徴とする文書作成支援装置。
【請求項２】
前記辞書には、語句の属性として、その種類が定義されており、
語句の種類は、前記操作入力制御手段で選択入力される入力語句と、
前記操作入力制御手段で入力語句が選択入力されたときに必然的に文中に入る固定語句と、
前記操作入力制御手段による入力語句の選択状態に応じて可変し、節、語句を連結するもの、または文の末尾に置かれるもののうちの少なくともいずれかである可変語句とを有することを特徴とする請求項１に記載の文書作成支援装置。
【請求項３】
前記辞書には、可変語句の属性として、その可変語句を有する節が文の途中であるか末尾であるかによる使用位置、およびその可変語句を有する節が肯定形であるか否定形であるかによる使用形式が定義されていることを特徴とする請求項２に記載の文書作成支援装置。
【請求項４】
前記操作入力制御手段による入力語句の選択状態を元に、前記操作入力制御手段で選択入力された入力語句を有する節の使用位置、および使用形式を判定する判定手段を備え、
前記作成手段は、前記判定手段の判定結果に基づいて、文に使用する可変語句を決定することを特徴とする請求項３に記載の文書作成支援装置。
【請求項５】
前記判定手段は、前記操作入力制御手段で選択入力された入力語句を有する判定対象の節と同じ階層レベルで、判定対象の節よりも並び順が後の節の入力語句が、前記操作入力制御手段で選択入力されていた場合、判定対象の節は文の途中であると判定し、並び順が後の節の入力語句が、前記操作入力制御手段で選択入力されていない場合、判定対象の節は文の末尾であると判定し、
前記操作入力制御手段で選択入力された入力語句が否定を表す場合、判定対象の節は否定形であると判定し、それ以外は全て肯定形と判定することを特徴とする請求項４に記載の文書作成支援装置。
【請求項６】
前記作成手段は、前記操作入力制御手段で選択入力された入力語句を有する節の語句に加えて、その上の階層の語句も自動的に読み出すことを特徴とする請求項１ないし５のいずれかに記載の文書作成支援装置。
【請求項７】
語句は医療用語であり、前記作成手段で作成される文は、医療情報が記述される医用文書を構成する文であることを特徴とする請求項１ないし６のいずれかに記載の文書作成支援装置。
【請求項８】
文を分解した節をさらに細分化した複数の語句が登録されており、各語句に対して、その属性と節内の並び順が階層構造で表された辞書を用い、
辞書に登録された語句の一部を入力語句として操作入力制御手段で選択入力させ、
操作入力制御手段による入力語句の選択状態に応じた語句を辞書から作成手段に読み出し、読み出した語句を並び順に従って連結して作成手段で文を作成することを特徴とする文書作成支援方法。
【請求項９】
文を分解した節をさらに細分化した複数の語句が登録されており、各語句に対して、その属性と節内の並び順が階層構造で表された辞書を用い、
辞書に登録された語句の一部を入力語句として選択入力させる操作入力制御機能と、
前記操作入力制御機能による入力語句の選択状態に応じた語句を前記辞書から読み出し、読み出した語句を並び順に従って連結して文を作成する作成機能とを、コンピュータに実現させることを特徴とする文書作成支援プログラム。
【発明の詳細な説明】
【技術分野】
【０００１】
本発明は、複数の語句から所望の語句を選択させ、これを元に文を作成する文書作成支援装置、文書作成支援方法、並びに文書作成支援プログラムに関する。
【背景技術】
【０００２】
最近の医療現場には、カルテや医用レポート等の医用文書を電子データとして扱い、医用文書の作成や管理を容易ならしめるための様々なコンピュータシステムが導入されつつある（特許文献１〜３参照）。
【０００３】
特許文献１は、予め登録された要素（いつ、どこが、どのように、どうしたといったいわゆる５Ｗ１Ｈ）毎のメニューを有する電子カルテシステムの入力支援方式を開示している。上階層のメニューが選択されたら、下階層のメニューを順次表示し、語句を選択させる。そして、選択された語句に応じた助詞（「が」、「に」等）で各語句を連結し、所見文を作成する。例えば、「今日から」、「頭」、「刺すように」、「痛い」の各語句が選択された場合の所見文は、「今日から頭が刺すように痛い。」となる。
【０００４】
特許文献２に記載の医用画像報告書入力システムは、所見文を節（「肝内胆管の拡張が有り、」、「範囲は両葉。」等）に分解し、節毎にその基本部分（「肝内胆管の拡張は」、「範囲は」等）と選択候補（「有り」、「無し」、「両葉」等）とを関連付けている。そして、予め定められた順序に従って質問形式で選択候補を選ばせ、これに基づいて所見文を作成している。選択候補と節の基本部分の組み合わせを追加登録することも可能である。
【０００５】
特許文献２では、選択候補の選び方によっては、所見文が句点ではなく読点で終わってしまう場合がある。このため、所見文の作成後、キーボード等で所見文の修正を受け付けている。あるいは、所見文の末尾を変換するためのテーブルをもたせ、読点で終わっている所見文の末尾を、句点で終わるものに置換している。
【０００６】
特許文献３に記載の情報処理システムでは、部位、基本所見、診断１、診断２といった項目毎に複数の選択肢（部位の場合は「右頭葉灰白質」、基本所見の場合は「高信号域」、診断１の場合は「急性期脳梗塞」、診断２の場合は「前大脳動脈の閉塞」等）を用意している。そして、「（部位）に（基本所見）を認める／認めない。（診断１）を疑う。（診断２）を疑う。」という文に、選択肢で選択された語句を当て嵌めて、所見文を作成している。上記の文の基本所見、例えば、「腫瘍」の基本所見の前に「３×３ｃｍ大の」といった修飾語を追加することも可能である。
【特許文献１】特開平０４−１９５４６５号公報
【特許文献２】特開２００４−１５７８１５号公報
【特許文献３】特開２００７−１４０８６２号公報
【発明の開示】
【発明が解決しようとする課題】
【０００７】
特許文献１に記載の発明は、全ての要素のメニューを選択しないと、文を作成することができない。また、単文を対象としており、複数の節で構成される重文となる可能性があるものを対象としていない。
【０００８】
特許文献２に記載の発明は、所見文の末尾を修正する必要があり、煩雑且つ面倒である。末尾を自動的に置換する方法も一応提案されているが、読点で終わる場合は句点に置換されるので、「胆嚢のサイズは正常。」といった不自然な文が出来上がる。そのうえ、「認め、」等の語と読点の組み合わせと、「、」の読点のみをどのように区別するかも説明されておらず、実現可能性は低いと言わざるを得ない。また、節を追加登録する際には、冗長な節をそっくり登録しなければならないため、最適な節を考える手間が掛かるし、記憶媒体の容量を食うという問題もある。
【０００９】
特許文献３に記載の発明は、基本所見の前に追加する修飾語が一、二語であれば、さほど問題はない。しかしながら、修飾語が多くなると相互の修飾関係が不明瞭となり、難解で不自然な文となってしまう。例えば、基本所見が「腫瘤性病変」の場合、「右葉に境界不明瞭、辺縁不整、３×３ｃｍ大の、単純ＣＴ上は肝実質と等吸収の、早期相で濃染する、後期相で洗い出される、腫瘤性病変を認める。」といった具合である。
【００１０】
本発明は、上記課題に鑑みてなされたもので、その目的は、分かり易く自然な文を作成することにある。
【課題を解決するための手段】
【００１１】
上記目的を達成するために、本発明の文書作成支援装置は、文を分解した節をさらに細分化した複数の語句が登録されており、各語句に対して、その属性と節内の並び順が階層構造で表された辞書と、前記辞書に登録された語句の一部を入力語句として選択入力させる操作入力制御手段と、前記操作入力制御手段による入力語句の選択状態に応じた語句を前記辞書から読み出し、読み出した語句を並び順に従って連結して文を作成する作成手段とを備えることを特徴とする。
【００１２】
前記辞書には、語句の属性として、その種類が定義されている。語句の種類は、入力語句、固定語句、および可変語句の三種である。入力語句は、前記操作入力制御手段で選択入力されるものであり、固定語句は、前記操作入力制御手段で入力語句が選択入力されたときに必然的に文中に入るものである。可変語句は、前記操作入力制御手段による入力語句の選択状態に応じて可変し、節、語句を連結するもの、または文の末尾に置かれるもののうちの少なくともいずれかである。
【００１３】
前記辞書には、可変語句の属性として、その可変語句を有する節が文の途中であるか末尾であるかによる使用位置、およびその可変語句を有する節が肯定形であるか否定形であるかによる使用形式が定義されている。
【００１４】
前記操作入力制御手段による入力語句の選択状態を元に、前記操作入力制御手段で選択入力された入力語句を有する節の使用位置、および使用形式を判定する判定手段を備えることが好ましい。前記作成手段は、前記判定手段の判定結果に基づいて、文に使用する可変語句を決定する。
【００１５】
前記判定手段は、前記操作入力制御手段で選択入力された入力語句を有する判定対象の節と同じ階層レベルで、判定対象の節よりも並び順が後の節の入力語句が、前記操作入力制御手段で選択入力されていた場合、判定対象の節は文の途中であると判定する。一方、並び順が後の節の入力語句が、前記操作入力制御手段で選択入力されていない場合、判定対象の節は文の末尾であると判定する。また、判定手段は、前記操作入力制御手段で選択入力された入力語句が否定を表す場合、判定対象の節は否定形であると判定する。それ以外は全て肯定形と判定する。
【００１６】
前記作成手段は、前記操作入力制御手段で選択入力された入力語句を有する節の語句に加えて、その上の階層の語句も自動的に読み出す。
【００１７】
語句は医療用語であり、前記作成手段で作成される文は、医療情報が記述される医用文書を構成する文である。
【００１８】
本発明の文書作成支援方法は、文を分解した節をさらに細分化した複数の語句が登録されており、各語句に対して、その属性と節内の並び順が階層構造で表された辞書を用い、辞書に登録された語句の一部を入力語句として操作入力制御手段で選択入力させ、操作入力制御手段による入力語句の選択状態に応じた語句を辞書から作成手段に読み出し、読み出した語句を並び順に従って連結して作成手段で文を作成することを特徴とする。
【００１９】
本発明の文書作成支援プログラムは、文を分解した節をさらに細分化した複数の語句が登録されており、各語句に対して、その属性と節内の並び順が階層構造で表された辞書を用い、辞書に登録された語句の一部を入力語句として選択入力させる操作入力制御機能と、前記操作入力制御機能による入力語句の選択状態に応じた語句を前記辞書から読み出し、読み出した語句を並び順に従って連結して文を作成する作成機能とを、コンピュータに実現させることを特徴とする。
【発明の効果】
【００２０】
本発明によれば、文を分解した節をさらに細分化した複数の語句が登録されており、各語句に対して、その属性と節内の並び順が階層構造で表された辞書を用いて文を作成するので、文の途中か末尾かで変わる語句や、肯定形か否定形かで変わる語句を、他の語句に影響を与えることなく、自由に辞書に登録して使用することができる。従って、分かり易く自然な文を作成することが可能となる。
【発明を実施するための最良の形態】
【００２１】
図１において、医療情報システム２は、病院等の医療施設に構築され、診療科１０に設置される診療科端末１１、放射線検査科（以下、単に検査科という）１２に設置されるレポート作成端末１３、データベース（以下、ＤＢと略す）サーバ１４、およびこれらを通信可能に接続するネットワーク１５を備える。ネットワーク１５は、例えば、院内に敷設されたＬＡＮ（Local Area Network）である。
【００２２】
診療科端末１１は、検査（読影も含む）を依頼する診療科１０の医師（以下、依頼医という）によって操作される。診療科端末１１は、カルテ１６の閲覧や入力の他、検査科１２に対して検査を依頼するためのオーダを発行する際に利用される。診療科端末１１は、検査科１２から提供される検査画像１７やレポート１８を表示して、依頼医の閲覧に供する。
【００２３】
レポート作成端末１３は、読影を専門とする検査科１２の医師（以下、読影医という）によって操作される。レポート作成端末１３は、読影医がオーダを確認したり、レポート１８を作成したりするときに利用される。レポート作成端末１３は、画像表示画面やレポート編集画面４４（図３参照）を表示して、レポート１８の作成を支援する。
【００２４】
ＤＢサーバ１４には、カルテＤＢ１９、画像ＤＢ２０、レポートＤＢ２１等の複数のＤＢが構築されている。カルテＤＢ１９は、患者毎のカルテ１６のデータ等を格納する。画像ＤＢ２０は、ＣＲ装置、ＣＴ装置、ＭＲＩ装置といったモダリティ２２によって撮影される検査画像１７のデータを格納する。レポートＤＢ２１は、レポート作成端末１３によって作成されたレポート１８のデータを格納する。
【００２５】
ＤＢサーバ１４は、ネットワーク１５を通じて、モダリティ２２から検査画像１７のデータを受信して、受信した検査画像１７のデータを画像ＤＢ２０に格納する。つまり、ＤＢサーバ１４は、いわゆるＰＡＣＳ（Picture Archiving and Communication Systems）サーバとして機能し、モダリティ２２とともにＰＡＣＳを構成する。
【００２６】
検査画像１７のデータは、個々の検査画像１７を識別するための画像ＩＤを有する。検査画像１７のデータは、例えば、ＤＩＣＯＭ（Digital Imaging and Communication in Medicine）に準拠したファイル形式で、画像ＤＢ２０に格納される。検査画像１７のファイルには、患者ＩＤ、検査ＩＤ、検査日、検査種等の項目を含む付帯情報を記録したＤＩＣＯＭタグが付与される。画像ＤＢ２０に格納された検査画像１７のデータは、ＤＩＣＯＭタグの各種項目を検索キーとして、検索が可能である。
【００２７】
ＤＢサーバ１４は、診療科端末１１およびカルテＤＢ１９とともにカルテシステムを構成する。また、ＤＢサーバ１４は、レポート作成端末１３、画像ＤＢ２０、並びにレポートＤＢ２１とともにレポート作成支援システムを構成する。レポート１８のデータは、検査画像１７のデータと同様、検査ＩＤ、患者ＩＤ、患者名等の検索キーによって検索が可能である。なお、本例では、各ＤＢ１９〜２１を一つのＤＢサーバ１４に構築した例で説明しているが、各ＤＢ１９〜２１を別々のＤＢサーバに構築してもよい。
【００２８】
診療科端末１１が発行するオーダは、患者ＩＤ、患者名、依頼日、依頼元、検査種（ＣＴやＭＲＩ等）、検査目的、読影の要否等の情報を記録する各種項目を有する。依頼元の項目には、内科、脳外科等の依頼医の所属、氏名、医師ＩＤといった情報が記録される。検査目的の項目には、治療中の病巣に対する治療効果を判定する治療効果判定、転移巣の有無を調べる転移検索等の情報が記録される。
【００２９】
診療科端末１１が発行したオーダは、検査科１２に設置されたオーダ受付端末（図示せず）に送信されて、検査科１２に受け付けられる。オーダ受付端末は、受信したオーダに検査ＩＤを付与して、オーダのデータを管理する。検査ＩＤは、受付完了通知とともにオーダ受付端末から診療科端末１１に送信される。検査科１２のスタッフ（検査技師）は、オーダ受付端末で受信したオーダに基づいて、モダリティ２２による撮影を行う。
【００３０】
読影が必要な場合（オーダの読影の要否の項目が要の場合）には、検査ＩＤが付与されたオーダが、オーダ受付端末からレポート作成端末１３に送信される。読影医は、レポート作成端末１３を介してオーダを確認し、画像ＤＢ２０から読影の対象となる検査画像１７のデータを読み出す。そして、読み出した検査画像１７の読影結果をレポート１８にまとめる。
【００３１】
レポート１８の作成が完了すると、読影医は、オーダ発行元の診療科端末１１に対して、レポート作成端末１３を通じて作成完了通知を送信する。作成完了通知には、検査画像１７やレポート１８が格納される各ＤＢ２０、２１内のアドレスが含まれている。依頼医は、診療科端末１１を通じて作成完了通知に含まれるアドレスにアクセスして、検査画像１７やレポート１８を閲覧する。
【００３２】
各端末１１、１３およびＤＢサーバ１４は、それぞれ、パーソナルコンピュータ、サーバ用コンピュータ、ワークステーションといったコンピュータをベースに、オペレーティングシステム等の制御プログラムや、クライアントプログラム又はサーバプログラムといったアプリケーションプログラムをインストールして構成される。
【００３３】
図２において、各端末１１、１３およびＤＢサーバ１４を構成するコンピュータは、基本的な構成は略同じであり、それぞれ、ＣＰＵ３０、メモリ３１、ストレージデバイス３２、ＬＡＮポート３３、およびコンソール３４を備えている。これらはデータバス３５を介して相互接続されている。
【００３４】
ストレージデバイス３２は、例えば、ＨＤＤ（Hard Disk Drive）である。ストレージデバイス３２には、制御プログラムやアプリケーションプログラム（以下、ＡＰという）３６が格納される。また、レポート作成端末１３のストレージデバイス３２には、辞書テーブル５７（図３〜図５参照）が格納される。
【００３５】
さらに、ＤＢサーバ１４には、プログラムを格納するＨＤＤとは別に、ＤＢ用のストレージデバイス３２として、例えば、ＨＤＤを複数台連装したディスクアレイが設けられる。ディスクアレイは、ＤＢサーバ１４の本体に内蔵されるものでもよいし、本体とは別に設けられ、本体にケーブルやネットワークを通じて接続されるものでもよい。
【００３６】
メモリ３１は、ＣＰＵ３０が処理を実行するためのワークメモリである。ＣＰＵ３０は、ストレージデバイス３２に格納された制御プログラムをメモリ３１へロードして、プログラムに従った処理を実行することにより、コンピュータの各部を統括的に制御する。
【００３７】
ＬＡＮポート３３は、ネットワーク１５との間の伝送制御を行うネットワークインタフェースである。コンソール３４は、ディスプレイ３７と、キーボードやマウス等の入力デバイス３８とからなる。
【００３８】
診療科端末１１には、ＡＰ３６として、カルテ１６の閲覧や編集を行うカルテ用ソフトウエア、検査画像１７やレポート１８の閲覧を行うビューアソフトウエアといったクライアントプログラムがインストールされる。クライアントプログラムが起動されると、診療科端末１１のディスプレイ３７には、ＧＵＩ（Graphical User Interface）による操作画面が表示される。操作画面には、カルテＤＢ１９、画像ＤＢ２０、レポートＤＢ２１から、それぞれ読み出されたカルテ１６、検査画像１７、レポート１８を表示する表示画面が含まれる。
【００３９】
診療科端末１１には、入力デバイス３８を通じて、カルテ１６の入力・編集の指示や、オーダの入力・発行の指示といった操作指示が入力される。入力されたカルテ１６やオーダのデータは、カルテＤＢ１９に格納される。
【００４０】
レポート作成端末１３には、ＡＰ３６として、レポート作成支援を行うレポート編集用のクライアントプログラムがインストールされている。レポート作成端末１３は、レポート編集用のクライアントプログラムによって、検査画像１７の表示処理と、レポート１８の編集処理とを行う。ＤＢサーバ１４には、ＡＰ３６として、クライアントである各端末１１、１３からの要求に応じて処理を実行し、処理結果を応答するサーバプログラムがインストールされている。
【００４１】
図３において、レポート作成端末１３のＣＰＵ３０は、レポート編集用のクライアントプログラムを起動すると、コンソール制御部（操作入力制御手段に相当）４０、ＤＢアクセス部４１、編集処理部（作成手段、判定手段に相当）４２、オーダ取得部４３として機能する。
【００４２】
レポート作成端末１３は、ＣＰＵ３０が設けられた端末本体に、二台のディスプレイ３７ａ、３７ｂを接続した構成である。一台のディスプレイ３７ａには、検査画像１７の観察用に使用される画像表示画面が出力される。もう一台のディスプレイ３７ｂには、レポート１８の作成に使用されるレポート編集画面４４が出力される。
【００４３】
画像表示画面およびレポート編集画面４４は、ＧＵＩ（Graphical User Interface）による操作画面を構成する。コンソール制御部４０は、これらの操作画面を各ディスプレイ３７ａ、３７ｂに出力し、操作画面を通じて、入力デバイス３８からの操作指示の入力を受け付ける。
【００４４】
画像表示画面およびレポート編集画面４４は、連動して起動する。レポート編集画面４４から、読影対象の検査画像１７が含まれる検査ＩＤが入力されると、コンソール制御部４０は、ＤＢアクセス部４１を通じて、検査ＩＤに対応する検査画像１７のデータを画像ＤＢ２０から取得する。コンソール制御部４０は、取得した検査画像１７をディスプレイ３７ａに出力する際に、画像表示画面を起動する。
【００４５】
画像表示画面には、ＣＲ装置で撮影された放射線による透視画像や、ＣＴ装置やＭＲＩ装置で撮影された断層画像、断層画像に基づいて生成される三次元画像といった各種の検査画像１７が表示される。画像表示画面は、一画面に六コマの断層画像を配列して表示するというように、複数の検査画像１７を同時に表示することが可能である。画像表示画面には、操作ボタン、リストボックス、アイコンといった、ＧＵＩを構成する各種の操作ツールが設けられている。こうした操作ツールを通じて、入力デバイス３８からの各種の操作指示が入力される。
【００４６】
レポート編集画面４４には、基本情報表示領域４５、所見文入力領域４６、用語選択入力領域４７、および操作ボタン領域４８が設けられている。これら各領域は、ＧＵＩを構成する各種の操作ツールである。こうした操作ツールを通じて、入力デバイス３８からの各種の操作指示が入力される。操作指示には、レポートＤＢ２１からレポート１８のデータを読み出す指示、レポートＤＢ２１へレポート１８のデータを保存する指示、所見文入力領域４６を選択してアクティブ（入力が可能な状態）にする指示等が含まれる。
【００４７】
基本情報表示領域４５には、患者名（「富士一郎」）、検査ＩＤ（「ＣＴ０８０３」）、検査画像１７の撮影日（「０８／４／１２（２００８年４月１２日）」）といった基本情報が表示される。これらの基本情報は、オーダから読み出される。
【００４８】
所見文入力領域４６には、読影医が検査画像１７を観察して認識した、病変の状態等の観察記録、すなわち所見を表す文（以下、所見文という）が入力される。図においては、所見文入力領域４６は一つだけ表示されているが、所見文入力領域４６は追加することも可能である。所見文入力領域４６を追加する際には、病変が複数有る場合に、病変毎に所見を分けて入力したり、検査目的が複数ある場合（例えば、治療効果判定と転移検索等）に、検査目的毎に所見を分けて入力したりといった使い方がされる。また、研修医と指導医、一次読影を行う読影医と二次読影を行う読影医等、複数の読影医が所見をそれぞれ入力するという使い方も可能である。
【００４９】
用語選択入力領域４７は、マウスのクリック操作によって、所見文入力領域４６へ所見文を入力するための操作ツールであり、テンプレート式操作ツールとも呼ばれる。用語選択入力領域４７は、「肝臓」、「胆管」といった臓器別の大分類パネル４９と、小分類パネル５０とを有する。小分類パネル５０は、「肝臓の形態」、「腫瘤性病変」といった、臓器毎に所見として記入されるべき項目を類型化した所見項目を有する。各パネル４９、５０は、タブによって切り替え選択が可能である。大分類パネル４９として選択された臓器名は、所見文入力領域４６の横に表示される。本例では、大分類パネル４９として「肝臓」が、小分類パネル５０として「肝臓の形態」がそれぞれ選択されている。
【００５０】
小分類パネル５０には、さらに、複数の用語選択ボタン５１が設けられている。用語選択ボタン５１は、所見項目をさらに細分化した、「辺縁」、「表面」、「腫大程度」、「腫大部位」等々の所見要素毎に、横並びに配列されている。例えば、「辺縁」の所見要素には、「鋭」、「やや鈍」、「鈍」、「表面」の所見要素には、「平滑」、「やや凹凸」、「凹凸」といったものがある。用語選択ボタン５１の用語には、各所見要素で使用される頻度が高い医療用語が使用されている。
【００５１】
用語選択ボタン５１は、各所見要素について一つだけ選択することが可能である。このため、例えば「辺縁−鋭」が選択されていて、「辺縁−鈍」を選択し直した場合は、「辺縁−鋭」の選択が自動的に解除される。
【００５２】
所見文入力領域４６をアクティブにした状態で、所望の用語選択ボタン５１にポインタ５２を合わせて、マウスでクリック操作を行うと、選択された用語に基づいた所見文が所見文入力領域４６に表示される。所見文入力領域４６に入力された所見文には、キーボードを操作することで、修正加筆することも可能である。
【００５３】
所見文は、一個以上の用語選択ボタン５１を選択したときに表示される。所見文は、用語選択ボタン５１が追加選択される毎に表示が更新される。追加選択は、例えば、二つの所見要素の用語選択ボタン５１が選択されていて、三つ目の所見要素の用語選択ボタン５１を選択する場合と、同一の所見要素で用語選択ボタン５１の選択をし直す場合とを含む。
【００５４】
本例では、用語選択ボタン５１として、「辺縁−鈍」、「表面−凹凸」、「腫大程度−軽度」、「腫大部位−左葉」、「萎縮程度−高度」、「萎縮部位−右葉」、「実質均一度−不均一」、「実質濃度−低い」がそれぞれ選択されている（斜線で示す）。また、所見文として、「肝は辺縁鈍、表面凹凸、左葉が軽度に腫大し、右葉が高度に萎縮し、実質は不均一で低濃度です。」が所見文入力領域４６に表示された状態を図示している。
【００５５】
操作ボタン領域４８には、各種操作ボタン５３〜５６が設けられている。所見追加ボタン５３は、所見文入力領域４６を追加するためのものである。所見追加ボタン５３にポインタ５２を合わせてマウスをクリック操作すると、レポート編集画面４４に所見文入力領域４６が追加表示される。
【００５６】
所見文入力領域４６に入力された所見文のデータ（以下、所見データという）は、個々を識別する所見ＩＤを有する。所見ＩＤは、検査画像１７やレポート１８と所見文との対応をとるためのものであり、所見文入力領域４６の追加された順に付された番号を含む。Ｎ個目（Ｎは１以上の自然数）の所見文入力領域４６に入力される所見文には、「Ｆ−Ｎ」の所見ＩＤが割り当てられる。本例では、一個目の所見文入力領域４６に所見文を入力する際を示しており、所見文入力領域４６の上部に所見ＩＤの「Ｆ−１」が表示されている。
【００５７】
終了ボタン５４は、レポート１８の編集を終了するためのものである。終了ボタン５４が選択されると、レポート１８のデータが確定保存される。確定保存されたレポート１８は、不正な改ざんを防止するために、編集が禁止される。中断ボタン５５は、レポート１８の作成を一時中断するためのものである。中断ボタン５５が選択されると、作成途中のレポート１８のデータが一時保存される。キャンセルボタン５６は、レポート編集画面４４を閉じる際に選択される。
【００５８】
ＤＢアクセス部４１は、コンソール制御部４０や編集処理部４２からの指令に基づいて、ＤＢサーバ１４に対する処理要求の送信と処理結果の受信とを行う。画像ＤＢ２０に対する処理要求には、検査ＩＤや画像ＩＤといった情報を検索キーとして、検査画像１７を検索するための検索要求がある。レポートＤＢ２１に対する処理要求には、作成したレポート１８のデータを格納するための格納要求と、作成したレポート１８のデータや、作成途中のレポート１８のデータの検索要求とがある。
【００５９】
ＤＢアクセス部４１は、格納要求の対象となるデータを、編集処理部４２から受け取り、ＤＢサーバ１４へ送信する。また、検索要求の対象となるデータを、ＤＢサーバ１４から受信して、コンソール制御部４０に引き渡す。
【００６０】
編集処理部４２は、レポート編集画面４４の所見文入力領域４６に入力された所見データ、および各パネル４９、５０、用語選択ボタン５１の選択状態を、コンソール制御部４０を通じて受け付ける。編集処理部４２は、受け付けた所見データを、所見文入力領域４６毎に区別してブロック化する。
【００６１】
編集処理部４２は、ブロック化した所見データのそれぞれに「Ｆ−１」、「Ｆ−２」等の所見ＩＤを付加して、これらをレポート１８のデータに記録する。編集処理部４２は、所見データの他に、オーダから読み出された検査ＩＤ、患者ＩＤ、患者名といった情報を、レポート１８のデータに付加する。
【００６２】
編集処理部４２は、所見ＩＤに加えて、各所見データに対して、その所見文を入力した読影医を識別するための医師ＩＤを付加する。医師ＩＤは、レポート作成端末１３の起動時のユーザ認証の際等に読影医によって入力される。所見データは、所見ＩＤや医師ＩＤによって、検索することが可能である。
【００６３】
また、編集処理部４２は、ストレージデバイス３２に格納された辞書テーブル５７に基づいて、各パネル４９、５０、用語選択ボタン５１の選択状態に応じた所見文を作成する。
【００６４】
図４の左側において、辞書テーブル５７は、臓器の項目を最上層として、所見項目、所見要素の順に下層となる階層構造を有する。臓器と所見項目、所見項目と所見要素は、それぞれ親子関係にあり、臓器、所見項目、所見要素の各々は、兄弟関係にある。臓器の項目には、大分類パネル４９の「肝臓」、「胆管」等が、所見項目には、小分類パネル５０の「肝臓の形態」、「腫瘤性病変」等が、所見要素には、「辺縁」、「表面」、「腫大程度」、「腫大部位」等がそれぞれ登録されている。所見要素の「腫大」、「萎縮」、「実質」の下層には、それぞれ、「腫大部位」、「腫大程度」、「萎縮部位」、「萎縮程度」、「実質均一度」、「実質濃度」の所見要素が繋げられている。図示は省略したが、臓器の項目の「胆管」や「胆嚢」、あるいは所見項目の「腫瘤性病変」等も、それぞれ複数の所見項目および所見要素を下の階層に有する。
【００６５】
図４の右側および図５において、各所見要素には、その所見要素に関する節を構成する語句が登録されている。語句には、固定、入力、可変の三種類がある。所見要素には、これら全ての種類の語句が登録されているものもあれば、いずれかが登録されているものもある。
【００６６】
固定語句は、「辺縁」、「表面」、「腫大」等であり、所見要素と同一である。固定語句は、その所見要素に属する用語選択ボタン５１が選択されたときに必ず所見文に入る。
【００６７】
入力語句は、「鋭」、「鈍」、「やや凹凸」等であり、所見要素「実質濃度」等の入力語句が用語選択ボタン５１の用語の表示と若干異なる他は、用語選択ボタン５１の用語の表示と同一である。入力語句は、「腫大−なし」、「萎縮−なし」が選択された場合を除いて、対応する用語選択ボタン５１が選択されたときに必ず所見文に入る。
【００６８】
可変語句は、「、」、「はなく、」、「しています。」等であり、用語選択ボタン５１の選択状態に応じて可変する。可変語句には、属性として使用位置、および使用形式が定義されている。使用位置には「途中」、「末尾」、使用形式には「肯定」、「否定」のそれぞれ二種類がある。使用位置が「途中」の可変語句（「、」、「はなく、」等）は、その所見要素に関する節が、所見文の途中の節である場合に使用する。使用位置が「末尾」の可変語句（「しています。」等）は、その所見要素に関する節が、所見文の末尾の節である場合に使用する。
【００６９】
使用形式が「肯定」の可変語句（「し、」、「しています。」等）は、その所見要素に関する節が、肯定形である場合に使用する。使用形式が「否定」の可変語句（「はなく、」、「はありません。」）は、その所見要素に関する節が、否定形である場合に使用する。否定形である場合とは、本例では、所見要素「腫大程度」、「萎縮程度」において、用語選択ボタン５１で「なし」を選択した場合である。それ以外は全て肯定を表す場合となる。
【００７０】
用語選択ボタン５１のいずれかが選択された場合、編集処理部４２は、まず、各パネル４９、５０の選択状態に対応する、辞書テーブル５７の臓器の項目、所見項目の階層を辿る。そして、選択された用語選択ボタン５１に対応する所見要素（以下、アクティブな所見要素という）の固定語句、および入力語句を、辞書テーブル５７から読み出す。下層（子）の所見要素、すなわち本例では「腫大程度」、「腫大部位」、「萎縮程度」、「萎縮部位」、「実質均一度」、「実質濃度」の用語選択ボタン５１が選択された場合は、その上層（親）の所見要素である「腫大」、「萎縮」、「実質」も自動的にアクティブとなり、上層の所見要素の語句も、自動的に編集処理部４２に読み出される。
【００７１】
続いて、編集処理部４２は、アクティブな所見要素の可変語句を決定する。編集処理部４２は、アクティブな所見要素に関する節の使用位置、および使用形式を調べる。編集処理部４２は、アクティブな所見要素と同じ階層レベル（兄弟関係）にある所見要素がアクティブであるか否かを、辞書テーブル５７の登録順に見ていく。使用位置、および使用形式の判定対象となるアクティブな所見要素の後に、別のアクティブな所見要素がある場合は、使用位置は「途中」、そうでなければ「末尾」となる。
【００７２】
選択された用語選択ボタン５１に対応する入力語句の使用形式が「否定」であった場合、すなわち本例で「腫大程度−なし」、「萎縮程度−なし」が選択された場合、編集処理部４２は、アクティブな所見要素である「腫大程度」およびその上層の「腫大」、「萎縮程度」およびその上層の「萎縮」の使用形式を「否定」と断じる。それ以外は全て「肯定」と断じる。この説明から明らかなように、下層の所見要素の使用形式は、その上層の所見要素に対しても適用される。編集処理部４２は、以上のようにして辞書テーブル５７から読み出した各種語句を、辞書テーブル５７の並び（登録）順に従って連結し、所見文を作成する。
【００７３】
図３の各パネル４９、５０、用語選択ボタン５１の選択状態を例に挙げて、編集処理部４２の所見文の作成処理を説明する。各パネル４９、５０として「肝臓」、「肝臓の形態」が選択されているので、編集処理部４２は、辞書テーブル５７の「肝臓」、その下層の「肝臓の形態」を辿る。そして、アクティブな所見要素（この場合は「辺縁」〜「実質」まで全て）の固定語句である「辺縁」、「腫大」、「実質は」等、および入力語句である「鈍」、「軽度に」、「右葉が」、「低濃度」等を、辞書テーブル５７から読み出す。
【００７４】
この場合、全ての所見要素がアクティブであるため、所見要素「辺縁」〜「実質均一度」までは、使用位置が「途中」である。また、「腫大程度−なし」、「萎縮程度−なし」が選択されていないため、所見要素の使用形式は全て「肯定」である。従って、編集処理部４２は、可変語句として「、」、「し、」、「で」、「です。」を辞書テーブル５７から選択的に読み出す。このようにして読み出した各種語句を、予め定められた順序に従って連結すると、図３および段落［００５４］に記載した所見文となる。
【００７５】
他の例を挙げると、「辺縁−鈍」のみが選択された場合、所見文は「辺縁鈍です。」となる。また、「腫大程度−なし」のみが選択された場合、所見文は「腫大はありません。」、「萎縮程度−中等度」、「萎縮部位−肝全体」のみが選択された場合、所見文は「肝全体が中等度に萎縮しています。」となる。「実質−不均一」のみが選択された場合、所見文は「実質は不均一です。」である。アクティブな所見要素が一つである場合は、所見文は単文となり、アクティブな所見要素が複数である場合は、所見文は各所見要素に関する節からなる重文となる。
【００７６】
所見要素の並び（登録）順は、所見文における各所見要素に関する節の位置と対応している。すなわち、図３に示す例のように、全ての所見要素がアクティブであった場合、所見要素「辺縁」に関する節が所見文の先頭に割り当てられ、順次「表面」、「腫大」、・・・の節がその後に続く。そして、「実質」に関する節が、所見文の末尾に位置する。下層に所見要素が繋げられた所見要素「腫大」、「萎縮」、「実質」に関する節も、下層の所見要素の並び順が、所見文に反映される。例えば、所見要素「腫大」は、「腫大部位」、「腫大程度」の順に節が組み立てられる。
【００７７】
また、各所見要素の各語句の並び（登録）順も、その所見要素に関する節における語句の位置と対応している。例えば、所見要素「辺縁」に関する節は、固定語句「辺縁」が先頭で、その後に入力語句、可変語句が続く。所見要素「実質」に関する節は、固定語句「実質は」が先頭で、その後に所見要素「実質均一度」の入力語句、可変語句が続き、さらにその後に所見要素「実質濃度」の入力語句が続く。そして、最後に所見要素「実質」の可変語句で締め括られる。
【００７８】
なお、所見要素「実質」は、所見文の末尾にくる節を構成するため、可変語句は登録せず、所見要素「実質濃度」の末尾を「です。」としておけばよさそうなものだが、使用位置が「末尾」の「です。」に加えて、使用位置が「途中」の「、」をも登録している。本例では所見要素「実質」の節が途中となることはないので、「、」は使用しないが、所見要素「実質」の後に、新たな所見要素を追加登録する場合は、所見要素「実質」の節が途中となることも有り得る。従って、新たな所見要素を追加登録する場合を想定して、「です。」や「、」を登録している。所見要素「実質均一度」の可変語句の「末尾」が空欄となっているのも、そのためである。他の所見要素についても、新たな所見要素や語句を追加登録する場合を想定して、例えば、入力語句に対しても使用形式を定義する等、無駄がないように定義付けや並び順を構成することが好ましい。
【００７９】
ここで、所見要素「腫大」と「萎縮」に関する節は、どの部位（肝全体、右葉、または左葉）に、どの程度（軽度、中等度、または高度）の腫大、または萎縮があり、選択した部位以外に腫大、または萎縮がないこと、もしくは、肝のどの部位にも腫大、または萎縮がないこと、のいずれかの意味の記述を想定している。
【００８０】
ところが、本例では、所見要素「腫大程度」と「腫大部位」、および「萎縮程度」と「萎縮部位」の用語選択ボタン５１を、レポート編集画面４４に同時に表示している。この場合、使用形式が「否定」である「程度−なし」を選択して、使用形式が「肯定」である「部位−右葉、または左葉」を選択することも可能である。もしこのような選択状態となると、「右葉、または左葉の一方に腫大、または萎縮がない」ことは分かるが、右葉、または左葉の他方の腫大、または萎縮の有無が不明確になってしまう。
【００８１】
そこで、上記の如くアクティブな所見要素に「否定」、「肯定」の使用形式が混在する場合は、所見文が不明確とならないように予め所見文作成のルールを決めておく。例えば、辞書テーブル５７の登録順が後の所見要素の使用形式を採用する。上記の例でいくと、辞書テーブル５７の登録順は「部位」、「程度」であるので、登録順が後の「程度」の使用形式（「なし」であるため「否定」）を採用して可変語句を決定する。従って、「程度−なし」が選択されていた場合は、「部位」に何が選択されていても、所見文は、「腫大、または萎縮はなく、」、もしくは「腫大、または萎縮はありません。」となる。
【００８２】
もちろん、アクティブな所見要素に「否定」、「肯定」の使用形式が混在しないような対策を講じてもよい。例えば、「部位」と「程度」の用語選択ボタン５１を、レポート編集画面４４に同時に表示せずに、最初は「程度」の用語選択ボタン５１のみを表示しておく。そして、「なし」以外の、使用形式が「肯定」の「軽度」、「中等度」、「高度」のいずれかが選択された場合に、「部位」の用語選択ボタン５１を表示する。但し、「部位」の用語選択ボタン５１の表示・非表示が切り替わると、煩わしさを感じる読影医もいるため、「部位」と「程度」の用語選択ボタン５１を同時に表示する例を採用することが好ましく、これらの態様を読影医が選択可能に構成することが、さらに好ましい。
【００８３】
図３に戻って、オーダ取得部４３は、オーダ受付端末からネットワーク１５を介してオーダを取得する。取得したオーダは、例えば、レポート作成端末１３のストレージデバイス３２に設けられたオーダテーブル（図示せず）に登録される。
【００８４】
ＤＢサーバ１４のＣＰＵ３０は、サーバプログラムを実行することにより、検査画像１７、およびレポート１８のデータの格納処理部および検索処理部として機能する。格納処理部は、レポート作成端末１３やモダリティ２２といったクライアントからの各データの格納要求に応じて、各ＤＢ２０、２１へのデータの格納処理を実行する。検索処理部は、診療科端末１１、レポート作成端末１３からの各データの配信要求に応答して、要求されたデータを各ＤＢ２０、２１から検索して、検索したデータを要求元へ配信する。
【００８５】
以下、上記構成による作用について、図６に示すフローチャートを参照して説明する。依頼医は、診療科端末１１を使用して、オーダを発行する。レポート作成端末１３は、診療科端末１１から発行されたオーダを、検査科１２のオーダ受付端末を経由して受信する。
【００８６】
読影医は、レポート作成端末１３にアクセスしてオーダを確認し、レポート１８の作成を開始する。レポート編集画面４４がディスプレイ３７ｂに表示されると、これと連動して画像表示画面がディスプレイ３７ａに表示される。読影医は、画像表示画面で検査画像１７を観察しながら、レポート編集画面４４の所見文入力領域４６に、それぞれ臓器別の所見文を入力する。
【００８７】
所見文の入力は、用語選択ボタン５１を選択することにより行われる。用語選択ボタン５１が選択されると（ステップ（以下、Ｓと略す）１０でｙｅｓ）、コンソール制御部４０から編集処理部４２に、各パネル４９、５０、用語選択ボタン５１の選択状態が通知される（Ｓ１１）。
【００８８】
次いで、編集処理部４２によって、各パネル４９、５０、用語選択ボタン５１の選択状態を元にした辞書テーブル５７の検索が実行される（Ｓ１２）。編集処理部４２が検索を実行することにより、まず、アクティブな所見要素の固定語句、および入力語句が辞書テーブル５７から読み出される（Ｓ１３）。
【００８９】
続いて、アクティブな所見要素に関する節の使用位置、使用形式が編集処理部４２で判定される（Ｓ１４）。具体的には、判定対象のアクティブな所見要素と同じ階層レベルで、且つ判定対象の所見要素の後に、別のアクティブな所見要素がある場合、使用位置が「途中」と判定され、そうでなければ「末尾」と判定される。また、選択された用語選択ボタン５１に対応する入力語句の使用形式が「否定」であった場合、アクティブな所見要素の使用形式が「否定」と判定される。それ以外は全て「肯定」と判定される。
【００９０】
Ｓ１５において、Ｓ１４の使用位置、使用形式の判定結果に基づいた可変語句が、辞書テーブル５７から読み出される。そして、読み出された各種語句が辞書テーブル５７の並び順に連結され、所見文が作成される（Ｓ１６）。作成された所見文は、編集処理部４２からコンソール制御部４０に引き渡され、コンソール制御部４０の制御の下、所見文入力領域４６に表示される（Ｓ１７）。このように、読影医は、用語選択ボタン５１を選択しながら、所見文の入力を行う。これら一連の処理は、用語選択ボタン５１が追加選択される度に繰り返し実行される。
【００９１】
読影医は、所見文の入力を終えると、終了ボタン５４を選択する（Ｓ１８でｙｅｓ）。終了ボタン５４が選択されると、レポート１８のデータの格納要求がＤＢアクセス部４１からＤＢサーバ１４に送信される。レポート作成端末１３から格納要求を受信すると、ＤＢサーバ１４では、格納処理部によって、レポート１８のデータの格納処理が実行される。レポート１８のデータは、レポートＤＢ２１に格納される。以上をもって、一回のレポート１８の作成処理が終了する。
【００９２】
レポート１８の作成が完了すると、レポート作成端末１３から、依頼医の診療科端末１１に対して、作成完了通知が送信される。依頼医は、診療科端末１１を通じてレポートＤＢ２１にアクセスして、作成完了通知に含まれるレポート１８のアドレスに基づいて、レポート１８を読み出す。診療科端末１１のディスプレイ３７には、レポート表示画面と、レポート１８に関連する検査画像１７を表示する画像表示画面が出力される。依頼医は、これらの画面を閲覧して、レポート１８の内容を確認する。
【００９３】
以上説明したように、本発明は、所見文を分解した節をさらに細分化した複数の語句を辞書テーブル５７に登録し、語句の属性を定義して、語句の並び順を階層構造で表すので、語句の使い分けや並び順の自由度が増し、違和感のない所見文が作成されるように、これらを事前に定義しておくことができる。従って、作成された所見文は、難解で不自然な箇所がなく、素直に意味がとれる文となる。
【００９４】
また、全ての所見要素がアクティブとならずとも、所見文を作成することができる。従って、単文、重文のいずれにも対応することができる。また、重文となっても、修飾語の係り方が不明瞭となることはない。さらに、使用位置が「途中」と「末尾」の可変語句を判定しているので、末尾を手入力で修正する必要がない。
【００９５】
新たな所見要素や語句を追加する場合、他の所見要素や語句が影響を受けないので、適切な定義付けや並び順で登録すれば、所見文の体裁を崩す懸念がない。また、追加するデータは語句であるので、節を登録する場合と比べて、手間が省け、ストレージデバイス３２の記憶容量も少なくて済む。さらに、読影医が好みに応じて辞書テーブル５７の内容をカスタマイズすることも容易にできる。
【００９６】
上記実施形態では、レポート１８の所見文を入力する際に、本発明の文書作成支援装置を適用している。レポート１８に用いる所見文や医療用語は、概ね決まっているため、複数の用語を選択させて文を作成する態様に好適である。
【００９７】
なお、所見要素としては、上記実施形態で例示した用語選択ボタン５１が割り当てられたものに限らず、キーボードからの入力を受け付けるものであってもよい。例えば、所見項目「腫瘤性病変」の所見要素として、腫瘤性病変の「部位」、「大きさ」、「個数」、「境界」、「辺縁」、「濃度」を用意する。所見要素「部位」には、「右葉」、「左葉」、「Ｓ１」〜「Ｓ８」等の腫瘤性病変の場所を示す語句、「大きさ」、「個数」には、「１５」、「１０」、「３」等の数値が、キーボード操作により入力可能である。「部位−右葉」、「大きさ−長径１５ｍｍ、短径１０ｍｍ」、「個数−３個」がそれぞれ入力され、「境界−明瞭」、「辺縁−不整」、「濃度−高濃度」が選択された場合、所見文は、「肝右葉に大きさ１５×１０ｍｍの、境界明瞭、辺縁不整、高濃度の腫瘤性病変を３個認めます。」となる。この場合、辞書テーブル５７は、キーボード入力される箇所を空欄として登録する。
【００９８】
上記実施形態では、入力デバイスとして、キーボードやマウスを例に説明したが、入力デバイスとしてマイクを用いて、用語選択ボタン５１の選択を音声によって受け付けてもよい。
【００９９】
上記実施形態では、検査科１２で実施される検査を例示して説明したが、検査種はこれらに限定されるものではなく、ＰＥＴ（Positron Emission Tomography）検査、超音波検査、内視鏡検査等でもよい。また、レポート１８として、検査画像１７の読影結果をまとめたレポートを例示したが、検査画像以外の検査データに対する所見をまとめたレポートでもよい。検査画像以外の検査データとしては、例えば、病理検査といった検体検査や生理検査等で得られる数値データ、あるいは心電図等の波形図がある。また、異なる検査種の検査データ等、種々のデータに関する所見が記入されるレポートでもよい。
【０１００】
また、検査に関するレポートでなくともよく、患者の診療に関する所見をまとめたレポートであればよい。レポートの作成者についても、読影医に限定されるものではなく、さらに、医師にも限定されない。例えば、リハビリテーションの指導に携わる理学療法士が作成するレポートのように、医師以外が作成するレポートについても、本発明の適用が可能である。さらに、医用レポートの所見文の作成支援に限らず、カルテに記入される文の作成支援でもよく、また、医療分野以外のあらゆる文の作成支援に対して、本発明は適用が可能である。
【０１０１】
上記実施形態では、本発明の文書作成支援装置を構成する、レポート作成端末が一台の例で説明したが、レポート作成端末は複数台でもよい。また、レポート作成端末のストレージデバイスに辞書テーブルを格納する態様を例示したが、辞書テーブルの格納先は上記に限らず、ＤＢサーバに格納しておいてもよい。この場合、レポート作成端末のＤＢアクセス部がＤＢサーバにアクセスして、辞書テーブルの検索要求の送信とその検索結果の受信とを行う。
【０１０２】
また、上記実施形態のように、クライアント（レポート作成端末）と、サーバ（ＤＢサーバ）とからなるクライアントサーバ型の情報システムの場合には、レポート編集用のクライアントプログラムは、専用のプログラムを使用してもよいし、ＨＴＴＰ（Hyper Text Transfer Protocol）といった、ＷＷＷ（World Wide Web）のプロトコルに対応した汎用的なブラウザを使用してもよい。
【０１０３】
専用のプログラムを使用する場合には、レポート編集画面は、専用のプログラムで定義された画面データに基づいて生成される。汎用的なブラウザを使用する場合には、例えば、Ｗｅｂサーバにレポート編集画面のデータを格納しておき、クライアントはＷｅｂサーバにアクセスして、Ｗｅｂページの形式に加工されたレポート編集画面のデータをダウンロードする。クライアントのブラウザは、受信したＷｅｂページのソースコードを解釈してレポート編集画面を生成する。Ｗｅｂサーバは、ＤＢサーバ１４が兼用してもよいし、ＤＢサーバとは別のサーバでもよい。汎用的なブラウザを使用する場合には、ＷｅｂサーバのＣＰＵが、クライアントのＣＰＵと協働して、または単独で、編集処理部、コンソール制御部等を構成する。
【０１０４】
また、ＤＢが構築されるデータ格納装置としては、ＤＢサーバ以外でもよく、例えば、ＮＡＳ（Network Attached Storage）、ＳＡＮ（Storage Area Network）といったネットワークを介して接続するストレージデバイスを使用してもよい。このように、コンピュータシステムの物理構成は適宜変更が可能である。
【０１０５】
上記実施形態では、ネットワークとしてＬＡＮを例に説明しているが、診療科と検査科が複数の拠点に分散しているような場合には、ネットワークとしてＬＡＮとＷＡＮ（Wide Area Network）を組み合わせて使用してもよい。
【０１０６】
なお、上記実施形態で示したとおり、本発明は、プログラムの形態、さらにはプログラムを記憶する記憶媒体にもおよぶことはもちろんである。
【図面の簡単な説明】
【０１０７】
【図１】医療情報システムの構成図である。
【図２】各端末およびサーバを構成するコンピュータの概略を示す構成図である。
【図３】本発明の文書作成支援装置の概略構成、およびレポート編集画面を示す図である。
【図４】辞書テーブルの内容を示す説明図である。
【図５】辞書テーブルの内容を示す説明図である。
【図６】レポート作成処理の流れを示すフローチャートである。
【符号の説明】
【０１０８】
２  医療情報システム
１３  レポート作成端末
３０  ＣＰＵ
３２  ストレージデバイス
３４  コンソール
３６  アプリケーションプログラム（ＡＰ）
３７  ディスプレイ
３８  入力デバイス
４０  コンソール制御部
４２  編集処理部
４４  レポート編集画面
４６  所見文入力領域
４７  用語選択入力領域
５１  用語選択ボタン
５７  辞書テーブル
【図１】
2009271620.tif 000003
【図２】
2009271620.tif 000004
【図３】
2009271620.tif 000005
【図４】
2009271620.tif 000006
【図５】
2009271620.tif 000007
【図６】
2009271620.tif 000008